(57)【要約】  【課題】容易かつ簡易に児童が危険な状態にあることを判断し、警告を発することができることができる位置情報管理システムの提供  【解決手段】（１）位置情報管理サーバ２１は、児童用携帯電話２３に対して現在位置を知らせように要求する。（２）児童用携帯電話２３は、ＧＰＳ機能を利用して現在の位置を取得する。（３）児童用携帯電話２３は取得した現在の位置を位置情報管理サーバ２１へ知らせる。（４）位置情報管理サーバ２１は、各児童用携帯電話２３から取得した現在の位置に基づき、危険状態（例えば、児童用携帯電話２３の所有児童が１人の状態）であるか否かを判断する。（５）位置情報管理サーバ２１は、危険状態にあると判断した児童用携帯電話２３の保護者用携帯電話２５へ、その旨を知らせる。これにより、児童用携帯電話の所有者が、他の携帯電話の所有者との関係で危険な状態にある旨の警告を容易に発することができる。【選択図】    図１
2008077465.tif 000002
【特許請求の範囲】
【請求項１】
ネットワークを介して互いに情報の送受信が可能な携帯端末及び位置情報管理装置を有する位置情報管理システムであって、
前記位置情報管理装置は、
前記携帯端末に対して現在の位置を示す位置情報の送信を要求する位置要求情報を生成する位置要求情報生成手段、
前記位置要求情報を前記携帯端末へ送信する位置要求情報送信手段、
前記携帯端末から前記位置情報を受信する位置情報受信手段、
受信した前記携帯端末に関する前記位置情報と前記携帯端末とは異なる他の携帯端末から受信した前記位置情報とを用いて、前記携帯端末と他の前記携帯端末との距離を算出する距離算出手段、
前記携帯端末に対して前記他の携帯端末が所定の範囲内に存在しているか否かを、算出した前記携帯端末と他の前記携帯端末との距離に基づき判断する判断手段、
前記携帯端末に対して所定の範囲内に存在していると判断した前記他の携帯端末の数量が所定の数量以下若しくは所定の数量より小さくなった場合に、予め定められた送信先へ警告情報を送信する警告情報送信手段、
を有し、
前記携帯端末は、
前記位置要求情報を受信する位置要求情報受信手段、
前記位置要求情報を受信すると、前記位置情報を取得する位置情報取得手段、
前記位置情報を前記位置情報管理装置へ送信する位置情報送信手段、
を有すること、
を特徴とする位置情報管理システム。
【請求項２】
ネットワークを介して携帯端末と情報の送受信が可能な位置情報管理装置であって、
前記位置情報管理装置は、
前記携帯端末から、当該携帯端末の現在の位置を示す位置情報を受信する位置情報受信手段、
受信した前記携帯端末に関する前記位置情報と前記携帯端末とは異なる他の携帯端末から受信した前記位置情報とを用いて、前記携帯端末と他の前記携帯端末との距離を算出する距離算出手段、
前記携帯端末に対して前記他の携帯端末が所定の範囲内に存在しているか否かを、算出した前記携帯端末と他の前記携帯端末との距離に基づき判断する判断手段、
前記携帯端末に対して所定の範囲内に存在していると判断した前記他の携帯端末の数量が所定の数量以下若しくは所定の数量より小さくなった場合に、予め定められた送信先へ警告情報を送信する警告情報送信手段、
を有する位置情報管理装置。
【請求項３】
請求項２に係る位置情報管理装置において、さらに、
前記携帯端末と前記他の携帯端末とは、同一のグループに属するものであること、
を特徴とする位置情報管理装置。
【請求項４】
請求項３に係る位置情報管理装置において、さらに、
前記携帯端末が複数のグループに属する場合、前記他の携帯端末は、前記携帯端末が属するグループのいずれかのグループに属するものであること、
を特徴とする位置情報管理装置。
【請求項５】
請求項３に係る位置情報管理装置において、
前記携帯端末が属するグループを、現在時刻又は／及び当該携帯端末の現在位置に基づいて選択するグループ選択手段、
を有する位置情報管理装置。
【請求項６】
請求項２〜請求項５に係る位置情報管理装置のいずれかにおいて、さらに、
前記携帯端末に対して現在の位置を示す位置情報の送信を要求する位置要求情報を生成する位置要求情報生成手段、
前記位置要求情報を前記携帯端末へ送信する位置要求情報送信手段、
を有する位置情報管理装置。
【請求項７】
請求項６に係る位置情報管理装置において、
前記位置要求情報生成手段は、
前記位置要求情報に、当該位置情報管理装置が生成した位置要求情報であることを示す認証情報を含めること、
を特徴とする位置情報管理装置。
【請求項８】
ネットワークを介して位置情報管理装置と情報の送受信が可能な携帯端末であって、
前記携帯端末は、
所定時に、自らの現在の位置を示す位置情報を取得する位置情報取得手段、
前記位置情報を前記位置情報管理装置へ送信する位置情報送信手段、
を有すること、
を特徴とする携帯端末。
【請求項９】
請求項８に係る携帯端末であって、さらに、
前記位置要求情報を受信する位置要求情報受信手段、
を有し、
前記位置情報取得手段は、
前記所定時としての前記位置要求情報の受信時に、前記位置情報を取得すること、
を特徴とする携帯端末。
【請求項１０】
請求項９に係る携帯端末であって、
前記位置要求情報受信手段は、さらに、
所定の位置情報管理装置が生成した位置要求情報であることを示す認証情報を有する位置要求情報を受信し、
さらに、
前記認証情報の正否を判断する認証手段、
を有し、
前記位置情報取得手段は、さらに、
適正な前記認証情報を有する前記位置要求情報の受信時に、前記位置情報を取得すること、
を特徴とする携帯端末。
【請求項１１】
ネットワークを介して携帯端末との情報の送受信を可能とする位置情報管理プログラムであって、
前記位置情報管理プログラムは、コンピュータを、
前記携帯端末から、当該携帯端末の現在の位置を示す位置情報を受信する位置情報受信手段、
受信した前記携帯端末に関する前記位置情報と前記携帯端末とは異なる他の携帯端末から受信した前記位置情報とを用いて、前記携帯端末と他の前記携帯端末との距離を算出する距離算出手段、
前記携帯端末に対して前記他の携帯端末が所定の範囲内に存在しているか否かを、算出した前記携帯端末と他の前記携帯端末との距離に基づき判断する判断手段、
前記携帯端末に対して所定の範囲内に存在していると判断した前記他の携帯端末の数量が所定の数量以下若しくは所定の数量より小さくなった場合に、予め定められた送信先へ警告情報を送信する警告情報送信手段、
を有する位置情報管理装置、
として機能させること、
を特徴とする位置情報管理プログラム。
【請求項１２】
請求項１１に係る位置情報管理プログラムにおいて、
前記位置情報管理プログラムは、前記コンピュータを、さらに、
前記携帯端末と前記他の携帯端末とは、同一のグループに属するものであること、
を特徴とする位置情報管理装置、
として機能させること、
を特徴とする位置情報管理プログラム。
【請求項１３】
請求項１２に係る位置情報管理プログラムにおいて、
前記位置情報管理プログラムは、前記コンピュータを、さらに、
前記携帯端末が複数のグループに属する場合、前記他の携帯端末が、前記携帯端末が属するグループのいずれかのグループに属するものであること、
を特徴とする位置情報管理装置、
として機能させること、
を特徴とする位置情報管理プログラム。
【請求項１４】
請求項１３に係る位置情報管理プログラムにおいて、
前記位置情報管理プログラムは、前記コンピュータを、さらに、
前記携帯端末が属するグループを、現在時刻又は／及び当該携帯端末の現在位置に基づいて選択するグループ選択手段、
を有する位置情報管理装置、
として機能させること、
を特徴とする位置情報管理プログラム。
【請求項１５】
請求項１１〜請求項１４に係る位置情報管理プログラムのいずれかにおいて、
前記位置情報管理プログラムは、前記コンピュータを、さらに、
前記携帯端末に対して現在の位置を示す位置情報の送信を要求する位置要求情報を生成する位置要求情報生成手段、
前記位置要求情報を前記携帯端末へ送信する位置要求情報送信手段、
を有する位置情報管理装置、
として機能させること、
を特徴とする位置情報管理プログラム。
【請求項１６】
請求項１５に係る位置情報管理プログラムにおいて、
前記位置情報管理プログラムは、前記コンピュータを、さらに、
前記位置要求情報生成手段は、
前記位置要求情報に、当該位置情報管理装置が生成した位置要求情報であることを示す認証情報を含めること、
を特徴とする位置情報管理装置、
として機能させること、
を特徴とする位置情報管理プログラム。
【請求項１７】
ネットワークを介して位置情報管理装置と情報の送受信を可能とする携帯端末プログラムであって、
前記携帯端末プログラムは、携帯端末を、
所定時に、自らの現在の位置を示す位置情報を取得する位置情報取得手段、
前記位置情報を前記位置情報管理装置へ送信する位置情報送信手段、
として機能させること、
を特徴とする携帯端末プログラム。
【請求項１８】
請求項１７に係る携帯端末プログラムであって、
前記携帯端末プログラムは、前記携帯端末を、さらに、
前記位置要求情報を受信する位置要求情報受信手段、
として機能させ、
前記位置情報取得手段は、さらに、
前記所定時としての前記位置要求情報の受信時に、前記位置情報を取得するもの、
として機能させること、
を特徴とする携帯端末プログラム。
【請求項１９】
請求項１８に係る携帯端末プログラムであって、
前記携帯端末プログラムは、前記携帯端末を、
前記位置要求情報受信手段は、さらに、
所定の位置情報管理装置が生成した位置要求情報であることを示す認証情報を有する位置要求情報を受信するもの、
として機能させ、
さらに、前記携帯端末を、
前記認証情報の正否を判断する認証手段、
として機能させ、
前記位置情報取得手段は、さらに、
適正な前記認証情報を有する前記位置要求情報の受信時に、前記位置情報を取得するもの、
として機能させること、
を特徴とする携帯端末プログラム。
【請求項２０】
ネットワークを介して互いに携帯端末との情報の送受信を可能とする、コンピュータを用いた位置情報管理方法であって、
前記位置情報管理方法は、
前記コンピュータが、前記携帯端末に対して現在の位置を示す位置情報の送信を要求する位置要求情報を生成し、
前記コンピュータが、前記位置要求情報を前記携帯端末へ送信し、
前記コンピュータが、前記携帯端末から前記位置情報を受信し、
前記コンピュータが、受信した前記携帯端末に関する前記位置情報と前記携帯端末とは異なる他の携帯端末から受信した前記位置情報とを用いて、前記携帯端末と他の前記携帯端末との距離を算出し、
前記コンピュータが、前記携帯端末に対して前記他の携帯端末が所定の範囲内に存在しているか否かを、算出した前記携帯端末と他の前記携帯端末との距離に基づき判断し、
前記コンピュータが、前記携帯端末に対して所定の範囲内に存在していないと判断した前記他の携帯端末の数量が所定の数量以下若しくは所定の数量より小さくなった場合に、予め定められた送信先へ警告情報を送信すること、
を特徴とする位置情報管理方法。
【発明の詳細な説明】
【技術分野】
【０００１】
本発明は、位置情報管理システムであって、特に、携帯端末の位置情報に基づいて当該携帯端末の所有者が危険な状態であるか否かの判断を行うものに関する。
【背景技術】
【０００２】
従来の位置情報管理システムとしては、移動者安全確認装置がある。移動者安全確認装置の動作を示すフローチャートを図１３に示す。移動者安全確認装置は、ステップＰ３において、その識別コードの対象者の予定移動経路を記憶部から読み出し、表示部へ地図に重ねて表示する。それ以降に、該識別コード付きの位置の信号が通信部経由で入力されると、その位置信号から該携帯端末の位置、即ちそれを保持する該識別コードの対象者の位置を識別し、識別コード毎に区別して記憶部へ経時順（通信部から入力する順）に記憶するとともに、記憶部からそれら位置を読み出し、表示部へ送り、表示部には地図および予定移動経路と共に実際移動経路として表示する。実際移動経路は、記憶部に記憶されている現在位置を連ねてなるデータであり、現在位置の軌跡である。予定移動経路および実際移動経路は地図に位置合わせされ、地図に重ねて、互いに色彩を異にして表示部に表示される。
【０００３】
移動者安全確認装置は、ステップＰ４において、入力される位置と記憶されている予定移動経路との距離Dが前記最大距離Dmax以内であるか否かを判断する。距離Dが前記最大距離Dmaxを越えたときは、ステップＰ１０へ進み、警報信号を警報部へ出力するとともに、表示部に表示されている該対象者の前記実際移動経路を点滅させ、該識別コードの対象者に関する前記氏名、住所、携帯端末の電話番号、緊急連絡先電話番号などのデータを表示部へ表示する。警報信号を受けた警報部は、スピーカから警報音を出力する。
【０００４】
【特許文献１】特開２００１−７６２８９
【発明の開示】
【発明が解決しようとする課題】
【０００５】
前述の移動者安全確認装置には、次のような問題点がある。最近では、児童が通常の通学路等、通常の行動経路上で事件に巻き込まれることがある。事件は児童が１人になっている状態で発生している場合が多い。しかし、前述の移動者安全確認装置では、入力される位置と記憶されている予定移動経路との距離Dを基準に判断しているため、このような場合を検知することができない、という問題点がある。
【０００６】
また、遠足や修学旅行等イベントによって、児童が通常の行動経路と異なる経路を移動する場合がある。このような場合においても、前述の移動者安全確認装置では、入力される位置と記憶されている予定移動経路との距離Dを基準に判断するため、対応できないという問題点がある。
【０００７】
そこで、本発明は、容易かつ簡易に児童が危険な状態にあることを判断し、警告を発することができることができる位置情報管理システムを提供することを目的とする。
【課題を解決するための手段】
【０００８】
本発明に関する課題を解決するための手段及び発明の効果を以下に示す。
【０００９】
本発明に係る位置情報管理システムは、ネットワークを介して互いに情報の送受信が可能な携帯端末及び位置情報管理装置を有する位置情報管理システムであって、前記位置情報管理装置は、前記携帯端末に対して現在の位置を示す位置情報の送信を要求する位置要求情報を生成する位置要求情報生成手段、前記位置要求情報を前記携帯端末へ送信する位置要求情報送信手段、前記携帯端末から前記位置情報を受信する位置情報受信手段、受信した前記携帯端末に関する前記位置情報と前記携帯端末とは異なる他の携帯端末から受信した前記位置情報とを用いて、前記携帯端末と他の前記携帯端末との距離を算出する距離算出手段、前記携帯端末に対して前記他の携帯端末が所定の範囲内に存在しているか否かを、算出した前記携帯端末と他の前記携帯端末との距離に基づき判断する判断手段、前記携帯端末に対して所定の範囲内に存在していると判断した前記他の携帯端末の数量が所定の数量以下若しくは所定の数量より小さくなった場合に、予め定められた送信先へ警告情報を送信する警告情報送信手段を有し、前記携帯端末は、前記位置要求情報を受信する位置要求情報受信手段、前記位置要求情報を受信すると、前記位置情報を取得する位置情報取得手段、前記位置情報を前記位置情報管理装置へ送信する位置情報送信手段を有している。
【００１０】
これにより、携帯端末を所有する者が、他の携帯端末を所有する者が所定の範囲内に所定数以下若しくはより少なくなった状況に対して、容易に警告を発することができる。よって、携帯端末の所有者が、他の携帯端末の所有者との関係で危険な状態にある旨の警告を容易に発することができる。
【００１１】
本発明に係る位置情報管理装置は、ネットワークを介して携帯端末と情報の送受信が可能な位置情報管理装置であって、前記位置情報管理装置は、前記携帯端末から、当該携帯端末の現在の位置を示す位置情報を受信する位置情報受信手段、受信した前記携帯端末に関する前記位置情報と前記携帯端末とは異なる他の携帯端末から受信した前記位置情報とを用いて、前記携帯端末と他の前記携帯端末との距離を算出する距離算出手段、前記携帯端末に対して前記他の携帯端末が所定の範囲内に存在しているか否かを、算出した前記携帯端末と他の前記携帯端末との距離に基づき判断する判断手段、前記携帯端末に対して所定の範囲内に存在していると判断した前記他の携帯端末の数量が所定の数量以下若しくは所定の数量より小さくなった場合に、予め定められた送信先へ警告情報を送信する警告情報送信手段を有している。
【００１２】
これにより、携帯端末を所有する者が、他の携帯端末を所有する者が所定の範囲内に所定数以下若しくはより少なくなった状況に対して、容易に警告を発することができる。
【００１３】
本発明に係る位置情報管理装置は、さらに、前記携帯端末と前記他の携帯端末とは、同一のグループに属するものである。
【００１４】
これにより、携帯端末を所有する者が、同一のグループに属する者であって、他の携帯端末を所有する者が所定の範囲内に所定数以下若しくはより少なくなった状況に対して、容易に警告を発することができる。つまり、携帯端末を所有する者の周りに同一グループに属する者がいなくなった場合に警告を発することができる。
【００１５】
本発明に係る位置情報管理装置は、さらに、前記携帯端末が複数のグループに属する場合、前記他の携帯端末は、前記携帯端末が属するグループのいずれかのグループに属するものである。
【００１６】
これにより、携帯端末の所有者が複数のグループに属する場合であっても、容易に警告を発することができる。
【００１７】
本発明に係る位置情報管理装置は、さらに、前記携帯端末が属するグループを、現在時刻及び当該携帯端末の現在位置の少なくとも一方に基づいて選択するグループ選択手段を有している。
【００１８】
これにより、現在時間や現在の居場所によって、所属するグループが変わる場合であっても、容易に警告を発することができる。
【００１９】
本発明に係る位置情報管理装置は、さらに、前記携帯端末に対して現在の位置を示す位置情報の送信を要求する位置要求情報を生成する位置要求情報生成手段、前記位置要求情報を前記携帯端末へ送信する位置要求情報送信手段を有している。
【００２０】
これにより、位置情報管理装置は、所望のときに携帯端末の現在の位置を取得することができる。
【００２１】
本発明に係る位置情報管理装置は、前記位置要求情報生成手段は、さらに、前記位置要求情報に、当該位置情報管理装置が生成した位置要求情報であることを示す認証情報を含める。
【００２２】
これにより、位置情報管理装置は、自らが携帯端末から現在の位置を受け取ることができる装置であることを証明することができる。
【００２３】
本発明に係る携帯端末は、ネットワークを介して位置情報管理装置と情報の送受信が可能な携帯端末であって、前記携帯端末は、所定時に、自らの現在の位置を示す位置情報を取得する位置情報取得手段、前記位置情報を前記位置情報管理装置へ送信する位置情報送信手段を有している。
【００２４】
これにより、携帯端末は、所定時間に、自らの現在位置を自動的に知らせることができる。
【００２５】
本発明に係る携帯端末は、さらに、前記位置要求情報を受信する位置要求情報受信手段を有し、前記位置情報取得手段は、前記所定時としての前記位置要求情報の受信時に、前記位置情報を取得する。
【００２６】
これにより、携帯端末は、位置情報管理装置から現在位置を知らせるよう要求があった場合のみ、現在の位置を知らせることができる。
【００２７】
本発明に係る携帯端末は、前記位置要求情報受信手段は、さらに、所定の位置情報管理装置が生成した位置要求情報であることを示す認証情報を有する位置要求情報を受信し、さらに、前記認証情報の正否を判断する認証手段を有し、前記位置情報取得手段は、さらに、適正な前記認証情報を有する前記位置要求情報の受信時に、前記位置情報を取得する。
【００２８】
これにより、特定の位置情報管理装置から位置要求情報が送信されてきた場合のみ、携帯端末は現在の位置を取得することができる。
【００２９】
ここで、請求項に記載されている要素と実施例における要素との対応関係を示す。位置情報管理システムは位置情報管理システム１に、位置情報管理装置は位置情報管理サーバ２１に、携帯端末は児童用携帯電話２３に、それぞれ対応する。
【００３０】
位置要求情報受信手段はＣＰＵ２３１、メモリ２３２及び通信回路２３５に、位置情報取得手段はＣＰＵ２３１、メモリ２３２及びＧＰＳ回路２３４に、位置情報送信手段はＣＰＵ２３１、メモリ２３２及び通信回路２３５に、それぞれ該当する。
【００３１】
位置要求情報生成手段はＣＰＵ２１１、メモリ２１２に、位置要求情報送信手段はＣＰＵ２１１、メモリ２１２及び通信回路２１８に、位置情報受信手段はＣＰＵ２１１、メモリ２１２及び通信回路２１８に、距離算出手段はＣＰＵ２１１、メモリ２１２に、判断手段はＣＰＵ２１１、メモリ２１２に、警告情報送信手段はＣＰＵ２１１、メモリ２１２、及び通信回路２１８に、それぞれ該当する。
【発明を実施するための最良の形態】
【００３２】
本発明における位置情報管理システムの実施例を以下において説明する。
【実施例１】
【００３３】
1.概要
本発明に係る位置情報管理システムの概要を図１に基づき説明する。
【００３４】
（１）位置情報管理サーバ２１は、児童用携帯電話２３に対して現在位置を知らせように要求する。
【００３５】
（２）児童用携帯電話２３は、ＧＰＳ機能を利用して現在の位置を取得する。
【００３６】
（３）児童用携帯電話２３は取得した現在の位置を位置情報管理サーバ２１へ知らせる。
【００３７】
（４）位置情報管理サーバ２１は、各児童用携帯電話２３から取得した現在の位置に基づき、危険状態（例えば、児童用携帯電話２３の所有児童が１人の状態）であるか否かを判断する。
【００３８】
（５）位置情報管理サーバ２１は、危険状態にあると判断した児童用携帯電話２３の保護者用携帯電話２５へ、その旨を知らせる。
【００３９】
これにより、児童用携帯電話の所有者が、他の携帯電話の所有者との関係で危険な状態にある旨の警告を容易に発することができる。
【００４０】
2.構成
本発明に係る位置情報管理システムの機能ブロック図を図２に示す。位置情報管理システムＭ１は、位置情報管理装置Ｍ３及び携帯電話Ｍ５を有している。位置情報管理装置Ｍ３及び携帯電話Ｍ５は、ネットワークを介して互いに情報の送受信が可能である。
【００４１】
位置情報管理装置Ｍ３は、位置要求情報生成手段ｍ３０１、位置要求情報送信手段ｍ３０３、位置情報受信手段ｍ３０５、距離算出手段ｍ３０７、判断手段ｍ３０９、及び警告情報送信手段ｍ３１１を有している。
【００４２】
位置要求情報生成手段ｍ３０１は、前記携帯電話Ｍ５に対して現在の位置を示す位置情報の送信を要求する位置要求情報を生成する。位置要求情報送信手段ｍ３０３、は、前記位置要求情報を前記携帯電話Ｍ５へ送信する。位置情報受信手段ｍ３０５は、前記携帯電話Ｍ５から前記位置情報を受信する。
【００４３】
距離算出手段ｍ３０７は、受信した前記携帯電話Ｍ５に関する前記位置情報と前記携帯電話Ｍ５とは異なる他の携帯電話Ｍ５から受信した前記位置情報とを用いて、前記携帯電話Ｍ５と他の前記携帯電話Ｍ５との距離を算出する。判断手段ｍ３０９は、前記携帯電話Ｍ５に対して前記他の携帯電話Ｍ５が所定の範囲内に存在しているか否かを、算出した前記携帯電話Ｍ５と他の前記携帯電話Ｍ５との距離に基づき判断する。
【００４４】
前記携帯電話Ｍ５と前記他の携帯電話Ｍ５とは、同一のグループに属するものである。また、前記携帯電話Ｍ５が複数のグループに属する場合、前記他の携帯電話Ｍ５は、前記携帯電話Ｍ５が属するグループのいずれかのグループに属するものである。
【００４５】
警告情報送信手段ｍ３１１は、前記携帯電話Ｍ５に対して所定の範囲内に存在していると判断した前記他の携帯電話Ｍ５の数量が所定の数量以下若しくは所定の数量より小さくなった場合に、予め定められた送信先へ警告情報を送信する。
【００４６】
携帯電話Ｍ５は、位置要求情報受信手段ｍ５０１、位置情報取得手段ｍ５０３、及び位置情報送信手段ｍ５０５を有している。位置要求情報受信手段ｍ５０１は、前記位置要求情報を受信する。位置情報取得手段ｍ５０３は、前記位置要求情報を受信すると、前記位置情報を取得する。位置情報送信手段ｍ５０５は、前記位置情報を前記位置情報管理装置Ｍ３へ送信する。
【００４７】
3.  ネットワーク構成
本発明に係る位置情報管理システム１のネットワーク構成を図３に基づいて説明する。位置情報管理システム１は、位置情報管理サーバ２１、児童用携帯電話２３、及び保護者用携帯電話２５を有している。
【００４８】
位置情報管理サーバ２１と児童用携帯電話２３とは、ネットワークを介して互いに情報の送受信が可能である。また、位置情報管理サーバ２１は、保護者用携帯電話２５と通話が可能である。
【００４９】
4.  ハードウェア構成
4.1.  位置情報管理サーバ２１のハードウェア構成
位置情報管理サーバ２１のハードウェア構成を図４に基づいて説明する。位置情報管理サーバ２１は、ＣＰＵ２１１、メモリ２１２、ハードディスク２１３及び通信回路２１８を備えている。
【００５０】
ＣＰＵ２１１は、ハードディスク２１３に記録されているオペレーティング・システム（ＯＳ）、位置情報管理プログラム等その他のアプリケーションに基づいた処理を行う。メモリ２１２は、ＣＰＵ２１１に対して作業領域を提供する。ハードディスク２１３は、オペレーティング・システム（ＯＳ）、位置情報管理プログラム等その他のアプリケーション及び各種データを記録保持する。なお、ハードディスク２１３に記録されているデータについては後述する。
【００５１】
通信回路２１８は、ネットワークに接続する通信回路を有しており、外部の児童用携帯電話２３及び保護者用携帯電話２５との通信を行う。
【００５２】
なお、位置情報管理サーバ２１には、キーボード２１４、マウス２１５、ディスプレイ２１６及びＣＤ−ＲＯＭドライブ２１７が接続されている。キーボード２１４、マウス２１５は、外部からの命令を受け付ける。ディスプレイ２１６は、ユーザーインターフェイス等の画像を表示する。ＣＤ−ＲＯＭドライブ２１７は、位置情報管理プログラムが記録されているＣＤ−ＲＯＭ２１０から位置情報管理プログラム及び他のＣＤ−ＲＯＭからその他のアプリケーションのプログラムを読み取る等、ＣＤ−ＲＯＭからのデータの読み取りを行う。
【００５３】
4.2.  児童用携帯電話２３のハードウェア構成
児童用携帯電話２３のハードウェア構成を図５に基づいて説明する。児童用携帯電話２３は、ＣＰＵ２３１、メモリ２３２、ディスプレイ２３３、ＧＰＳ回路２３４、及び通信回路２３５を備えている。
【００５４】
ＣＰＵ２３１は、メモリ２３２に記録されている児童用携帯電話プログラム等その他のアプリケーションに基づいた処理を行う。メモリ２３２は、児童用携帯電話アプリケーションプログラム、携帯電話プログラム（ＯＳ）等その他のプログラム及び各種データを記録保持する。
【００５５】
ディスプレイ２３３は、ユーザーインターフェイス等の情報を表示する。ＧＰＳ回路２３４は、ＧＰＳシステムを介して児童用携帯電話２３の位置情報を獲得する。通信回路２３５は、位置情報管理サーバ２１や他の携帯電話等と通話やネットワークを介したデータ通信を行う。
【００５６】
4.3.  保護者用携帯電話２５のハードウェア構成
保護者用携帯電話２５のハードウェア構成を図６に基づいて説明する。保護者用携帯電話２５は、ＣＰＵ２５１、メモリ２５２、ディスプレイ２５３、及び通信回路２５５を備えている。
【００５７】
ＣＰＵ２５１は、メモリ２７２に記録されている保護者用携帯電話プログラム等その他のアプリケーションに基づいた処理を行う。メモリ２５２は、携帯電話プログラム（ＯＳ）等その他のプログラム及び各種データを記録保持する。
【００５８】
ディスプレイ２５３は、ユーザーインターフェイス等の情報を表示する。通信回路２５５は、位置情報管理サーバ２１や他の携帯電話等と通話を行う。
【００５９】
5.  データ
位置情報管理サーバ２１のハードディスク２１３は、登録端末マスターデータベース（以下、登録端末マスターＤＢ）、端末グループデータベース（以下、端末マスターＤＢ）、及びアラート条件チェック用テーブルを記録保持している。
【００６０】
5.1.  登録端末マスターＤＢ
登録端末マスターＤＢには、児童用携帯電話２３に関する諸情報が登録されている。登録端末マスターＤＢの一例を図７に示す。
【００６１】
登録端末マスターＤＢは、［端末ＩＤ］列Ｃ７０１、［所属グループ］列Ｃ７０３、［電話番号］列Ｃ７０５、及び［緊急連絡先電話番号］列Ｃ７０７を有している。［端末ＩＤ］列Ｃ７０１には、児童用携帯電話２３毎に一意に割り振られるＩＤが端末ＩＤとして記述される。［所属グループ］列Ｃ７０３には、［端末ＩＤ］列Ｃ７０１に記述された端末ＩＤを有する児童用携帯電話２３を所有する児童が所属するグループ（後述）が記述される。［電話番号］列Ｃ７０５には、［端末ＩＤ］列Ｃ７０１に記述された児童用携帯電話２３の電話番号が記述される。［緊急連絡先電話番号］列Ｃ７０７には、［端末ＩＤ］列Ｃ７０１に記述された端末ＩＤを有する児童用携帯電話２３に緊急事態が生じたときの連絡先の電話番号が記述される。具体的には、保護者用携帯電話２５の電話番号が記述される。
【００６２】
図７においては、電話番号「０９０−＊＊＊−＊＊＊」の児童用携帯電話２３を所有する児童が、グループ「Ａ」、「Ｂ」に所属し、当該児童の保護者の保護者用携帯電話２５の電話番号が「０８０−＊＊＊−＊＊＊」である場合、当該児童用携帯電話２３に割り振られる端末ＩＤ「Ｘ００１」を［端末ＩＤ］列Ｃ７０１に、グループ「Ａ」、「Ｂ」を［所属グループ］列Ｃ７０３に、電話番号「０９０−＊＊＊−＊＊＊」を［電話番号］列Ｃ７０５に、保護者用携帯電話２５の電話番号「０８０−＊＊＊−＊＊＊」が［緊急連絡先電話番号］列Ｃ７０７に、それぞれ登録される。
【００６３】
なお、児童用携帯電話２３等に関するデータは、位置情報管理システム１を利用することを望む保護者等若しくはシステム管理者が、予め、登録端末マスターＤＢへ登録しておく。
【００６４】
5.2.  端末グループＤＢ
端末グループＤＢには、それぞれのグループには児童用携帯電話２３を所有するどの児童が所属するのかが登録されている。ここでグループとは、児童用携帯電話２３を所有する児童が社会生活において形成するグループを意味し、例えば、学校のクラスや塾の友達で形成されるグループをいう。
【００６５】
端末グループＤＢの一例を図８に示す。端末グループＤＢは、［グループＩＤ］列Ｃ８０１、及び［所属端末］列Ｃ８０３を有している。［グループＩＤ］列Ｃ８０１には、児童用携帯電話２３毎に一意に割り振られるＩＤが端末ＩＤとして記述される。［所属端末］列Ｃ８０３には、［グループＩＤ］列Ｃ８０１に記述されたグループに属する児童用携帯電話２３の端末ＩＤが記述される。
【００６６】
図８においては、あるグループには、端末ＩＤ「Ｘ００１」、「Ｘ００２」、「Ｘ１５４」が与えられた児童用携帯電話２３を所有する児童が属する場合、当該グループのグループＩＤ「Ａ」が［グループＩＤ］列Ｃ８０１に、端末ＩＤ「Ｘ００１」、「Ｘ００２」、「Ｘ１５４」が［所属端末］列Ｃ８０３に、それぞれ記述される。
【００６７】
なお、グループに所属する児童用携帯電話２３に関するデータは、位置情報管理システム１を利用することを望む保護者等若しくはシステム管理者が、予め、登録端末マスターＤＢへ登録しておく。
【００６８】
5.3.  アラート条件チェック用テーブル
アラート条件チェック用テーブルは、位置情報管理サーバ２１が登録端末マスターＤＢに登録されている児童用携帯電話２３を所有する児童が危険な状態にあるか否かを判断する際に使用するテーブルである。アラート条件チェック用テーブルの一例を図９に示す。
【００６９】
アラート条件チェック用テーブルは、［端末ＩＤ］列Ｃ９０１、［現在位置］列Ｃ９０３、及び［アラート］列Ｃ９０５を有している。
【００７０】
［端末ＩＤ］列Ｃ９０１には、児童用携帯電話２３毎に一意に割り振られる端末ＩＤが記述される。［現在位置］列Ｃ９０３には、［端末ＩＤ］列Ｃ９０１に記述された端末ＩＤを有する児童用携帯電話２３を所有する児童の位置が記述される。［アラート］列Ｃ９０５には、［端末ＩＤ］列Ｃ９０１に記述された児童用携帯電話２３を所有する児童の状態が、「０」、「１」、「９９」の値で区別して記述される。ここで、［アラート］列の値「９９」は「条件チェック待ち」を、値「０」は対応する児童は危険な状態ではないとする「アラート不要」を、値「１」は対応する児童が危険な状態であるとする「アラート必要」を、それぞれ意味する。
【００７１】
図９においては、端末ＩＤ「Ｘ００１」の児童用携帯電話２３を有する児童が、現在、「北緯３４度０５分３７秒９４、東経１３７度３２分２８秒４３」に存在し、他の児童とともにいて危険な状態でない場合、端末ＩＤ「Ｘ００１」が［端末ＩＤ］列Ｃ９０１に、「北緯３４度０５分３７秒９４、東経１３７度３２分２８秒４３」が［現在位置］列Ｃ９０３に、値「０」が［アラート］列Ｃ９０５に、それぞれ記述される。
【００７２】
6.  位置情報管理システム１の動作
6.1.  概要
位置情報管理システム１の位置情報管理サーバ２１及び児童用携帯電話２３の動作の概要を図１０、図１１、図１２を用いて説明する。なお、図１０、図１１に示すＤＢ１、ＤＢ２、ＤＢ３は、それぞれ、登録マスターＤＢ、端末グループＤＢ、アラート条件チェック用テーブルを示す。
【００７３】
位置情報管理サーバ２１のＣＰＵ２１１は、位置情報管理プログラムを起動すると、アラート条件チェック用テーブル（ＤＢ３）をリセットする（Ｓ１００１）。このとき、ＣＰＵ２１１は、アラート条件チェック用テーブルの［現在位置］列Ｃ９０３の値を「Ｎｕｌｌ」に、［アラート］列Ｃ９０５の値を「９９」にセットする。
【００７４】
ＣＰＵ２１１は、登録端末マスターＤＢ（ＤＢ１）の［端末ＩＤ］列Ｃ７０１に記述されている端末ＩＤを一つ読み込む（Ｓ１００３）。以下において、ステップＳ１００３で読み込んだ端末ＩＤを「Ｔ」とする。ＣＰＵ２１１は、読み込んだ端末ＩＤ「Ｔ」が「Ｎｕｌｌ」でないと判断すると（Ｓ１００５）、アラート条件チェック用テーブル（ＤＢ３）の端末ＩＤ「Ｔ」に対応する［アラート］列Ｃ９０５の値を読み込む（Ｓ１００７）。
【００７５】
ＣＰＵ２１１は、読み込んだ［アラート］列Ｃ９０５の値が「９９」ではないと判断すると（Ｓ１００９）、位置要求情報を生成する（Ｓ１０１１）。位置要求情報とは、携帯電話に対して現在の位置を示す位置情報を送信するように要求する情報をいう。ＣＰＵ２１１は、生成した位置要求情報を端末ＩＤ「Ｔ」に対応する児童用携帯電話２３へ送信する（Ｓ１０１３）。位置要求情報の送信に際しては、位置情報管理サーバ２１及び児童用携帯電話２３のネットワーク機能を用いる。
【００７６】
図１２に移って、端末ＩＤ「Ｔ」の児童用携帯電話２３のＣＰＵ２３１は、位置要求情報を受信すると（Ｓ１２０１）、
プログラムを起動する（Ｓ１２０３）。ＣＰＵ２１１は、起動したプログラムに基づいて、ＧＰＳ回路２３４を介して、現在の位置を位置情報として取得する（Ｓ１２０５）。ＣＰＵ２３１は、取得した位置情報を位置情報管理サーバ２１へ送信する（Ｓ１２０７）。
【００７７】
図１０に戻って、位置情報管理サーバ２１のＣＰＵ２１１は、端末ＩＤ「Ｔ」の児童用携帯電話２３から位置情報を受信すると（Ｓ１０１５）、アラート条件チェック用テーブルの端末ＩＤ「Ｔ」に対応する［現在位置］列Ｃ９０３に、取得した位置情報を記述する（Ｓ１０１６）。そして、ＣＰＵ２１１は、端末ＩＤ「Ｔ」に関する近所数に「０」をセットする。近所数とは、対象とする児童用携帯電話２３の近くに存在する他の児童用携帯電話２３の数をいう。本実施例においては、対象とする児童用携帯電話２３から半径１０ｍ以内に存在する他の児童用携帯電話２３の数を近所数としている。なお、近所数は、メモリ２１２へ保持される。
【００７８】
ＣＰＵ２１１は、端末ＩＤ「Ｔ」が所属するグループのグループＩＤの一つを登録端末マスターＤＢ（ＤＢ１）の［所属グループ］列Ｃ７０３から取得する（Ｓ１０１９）。なお、ステップＳ１０１９で取得したグループＩＤを「Ｇ」とする。ＣＰＵ２１１は、グループＩＤ「Ｇ」が「Ｎｕｌｌ」であるか否かを判断する（Ｓ１０２１）。ＣＰＵ２１１は、グループＩＤ「Ｇ」が「Ｎｕｌｌ」であると判断すると、アラート条件チェック用テーブルの端末ＩＤ「Ｔ」に関する［アラート］列Ｃ９０５の値に「１」をセットする（Ｓ１０２３）。
【００７９】
図１１へ移って、ＣＰＵ２１１は、グループＩＤ「Ｇ」が「Ｎｕｌｌ」でないと判断すると、端末グループＤＢ（ＤＢ２）から、グループＩＤ「Ｇ」に対応する［所属端末］列Ｃ８０３に登録されている端末ＩＤの一つを取得する（Ｓ１１０３）。以下において、ステップＳ１１０３で読み込んだ端末ＩＤを「Ｔ１」とする。ＣＰＵ２１１は、読み込んだ端末ＩＤ「Ｔ１」が「Ｎｕｌｌ」でないと判断すると（Ｓ１１０５）、位置要求情報を生成する（Ｓ１１１１）。ＣＰＵ２１１は、生成した位置要求情報を端末ＩＤ「Ｔ１」に対応する児童用携帯電話２３へ送信する（Ｓ１１１３）
ステップＳ１１１３で送信された位置要求情報を受信した児童用携帯電話２３（端末ＩＤ「Ｔ１」）が実行する処理については、図１２に示す処理と同様である。
【００８０】
位置情報管理サーバ２１のＣＰＵ２１１は、端末ＩＤ「Ｔ１」の児童用携帯電話２３から位置情報を受信すると（Ｓ１１１５）、アラート条件チェック用テーブルの端末ＩＤ「Ｔ１」に対応する［現在位置］列Ｃ９０３に、取得した位置情報を記述する（Ｓ１１１６）。
【００８１】
ＣＰＵ２１１は、端末ＩＤ「Ｔ」の児童用携帯電話２３と端末ＩＤ「Ｔ１」の児童用携帯電話２３との間の距離を算出する（Ｓ１１２１）。この際、ＣＰＵ２１１は、アラート条件チェック用テーブルの端末ＩＤ「Ｔ」及び端末ＩＤ「Ｔ１」に対応する［現在位置］列Ｃ９０３に記述された位置情報に基づいて、両端末間の距離を算出する。
【００８２】
ＣＰＵ２１１は、端末ＩＤ「Ｔ」の児童用携帯電話２３を所有する児童の近くに、端末ＩＤ「Ｔ１」の児童用携帯電話２３を所有する児童が存在するか否かを、算出した距離（算出距離）が規定値（基準距離）以上であるか否かに基づいて判断する（Ｓ１１２３）。なお、基準距離については、予め設定され、ハードディスク２１３に記憶されている。
【００８３】
ＣＰＵ２１１は、算出距離が基準距離より小さいと判断すると、端末ＩＤ「Ｔ」に関する近所数に「１」を加算する（Ｓ１１２５）。ＣＰＵ２１１は、端末ＩＤ「Ｔ」に関する近所数が規定値（設定近所数）以上であるか否かを判断する（Ｓ１１２７）。なお、設定近所数については、予め設定され、ハードディスク２１３に記憶されている。ＣＰＵ２１１は、端末ＩＤ「Ｔ」に関する近所数が設定近所数以上であると判断すると、アラート条件チェック用テーブルの端末ＩＤ「Ｔ」に関する［アラート］列Ｃ９０５に「０」をセットする（Ｓ１１２９）。例えば、設定近所数として「１」を設定しておくと、端末ＩＤ「Ｔ」の児童用携帯電話２３を所有する児童の近くに、他の児童用携帯電話２３を所有する児童が１人以上存在する場合、つまり、対象とする児童が１人でない場合に、危険な状態でないとしてアラートの必要なしと判断する。
【００８４】
ＣＰＵ２１１は、ステップＳ１１２７において端末ＩＤ「Ｔ」に関する近所数が設定近所数より小さいと判断した場合、及び、ステップＳ１１２３において算出距離が基準距離以上であると判断した場合、端末ＩＤ「Ｔ」の児童用携帯電話２３を所有する児童の近くに、端末ＩＤ「Ｔ１」の児童用携帯電話２３を所有する児童が存在しないと判断し、同一グループ（グループＩＤ「Ｇ」）に所属する他の児童用携帯電話２３を有する児童が、端末ＩＤ「Ｔ」の児童用携帯電話２３を所有する児童の近くに存在するか否かを判断すべく、ステップＳ１１０３以降の処理を実行する。さらに、ＣＰＵ２１１は、ステップＳ１１０５において読み込んだ端末ＩＤ「Ｔ１」が「Ｎｕｌｌ」であると判断すると、同一グループ（グループＩＤ「Ｇ」）に所属する児童用携帯電話２３に対する処理は終了したと判断し、他のグループに所属する他の児童用携帯電話２３を有する児童が、端末ＩＤ「Ｔ」の児童用携帯電話２３を所有する児童の近くに存在するか否かを判断すべく、ステップＳ１０１９（図１０参照）以降の処理を実行する。
【００８５】
位置情報管理サーバ２１のＣＰＵ２１１は、登録端末マスターＤＢに登録されている全ての児童用携帯電話２３について、ステップＳ１００１〜ステップＳ１１２９までの処理を終了すると、その時点でのアラート条件チェック用テーブルの［アラート］列Ｃ９０３の値が「１」である端末ＩＤを［端末ＩＤ］列Ｃ９０１から抽出する。そして、抽出した端末ＩＤに対応する保護者用携帯電話２５の電話番号を登録端末マスターＤＢの［緊急連絡先電話番号］列Ｃ７０７から取得する。ＣＰＵ２１１は、取得した緊急連絡先電話番号に基づいて、対応する児童が１人であり、危険な状態にいる旨の警告情報を保護者に連絡する。
【００８６】
［その他の実施例］
1.構成
前述の実施例１においては、携帯端末として児童用携帯電話２３を例示したが、自らの現在の位置を取得でき、位置情報管理サーバ２１と通信できる者であれば、例示のものに限定されない。例えば、ＧＰＳ機能及び通信機能付きＰＤＡ等であってもよい。
【００８７】
また、前述の実施例１においては、警告情報を保護者用携帯電話２５へ連絡するとしたが、警告情報を連絡できるものであれば、例示のものに限定されない。例えば、保護者や児童の所属先としての学校、警察、消防署等の固定電話等への連絡やＰＣ等へのＩＰ電話を介した連絡であってもよい。
【００８８】
2.距離の算出
前述の実施例１においては、ある児童用携帯電話２３と他の児童用携帯電話２３との間の距離を両児童用携帯電話２３間の直線距離で算出したが、両児童用携帯電話間の距離を示すものであれば例示のものに限定されない。例えば、児童用携帯電話２３の現在の位置と地図情報とを組み合わせて、道路に沿って計測される距離を、両児童用携帯電話間の距離としてもよい。これにより、より現実的な距離の算出が可能となる。
【００８９】
3.危険状態の判断
前述の実施例１においては、所定の範囲内に所定数以下若しくはそれより少ない者しか児童用携帯電話２３の所有者の周りに存在しないと判断した場合に、危険な状態にあると判断した。さらに、児童用携帯電話２３と他の児童用携帯電話２３との関係も考慮して判断するようにしてもよい。例えば、児童用携帯電話２３が戸外の道路上に存在し、他の児童用携帯電話２３は建物の中にある場合は、所定範囲内にあっても、近くに存在する児童用携帯電話２３としては計数しない。
【００９０】
4.グループ
前述の実施例１においては、児童用携帯電話２３の児童が複数のグループに所属する場合、所属する全てのグループについて危険な状態であるか否かの判断を行っている。しかし、危険な状態であるか否かの判断をするときの現在の時間に基づいて、グループを切り換えるようにしてもよい。例えば、午前７時から午後６時までであれば、学校に関するグループについて、午後６時から午後８時までであれば塾に関するグループのようにしてもよい。
【００９１】
児童用携帯電話２３の現在の位置に基づいて、グループを切り換えるようにしてもよい。例えば、学校周辺に現在位置があれば、学校に関するグループを選択し、塾周辺に現在位置があれば、塾に関するグループを選択するようにしてもよい。
【００９２】
さらに、児童用携帯電話２３の現在位置と、現在の位置を取得する際の時間とを組み合わせて、グループを切り換えるようにしてもよい。
【００９３】
5.位置情報管理サーバ２１からの現在位置の要求
前述の実施例１においては、児童用携帯電話２３は位置情報管理サーバ２１から位置要求情報を受信すると、現在位置を取得するようにした。さらに、位置要求情報を送信した位置情報管理サーバ２１が児童用携帯電話２３に対して正当権限を有するのものであることを示す認証処理を行うようにしてもよい。これにより、児童用携帯電話２３の現在の位置を不用意に知らせることを防止することができ、セキュリティの向上に資する。
【００９４】
6.児童用携帯電話２３での現在位置の取得
前述の実施例１においては、児童用携帯電話２３は位置情報管理サーバ２１から位置要求情報を受信した際に現在の位置を取得するようにしたが、位置情報管理サーバ２１から位置要求情報を必要とせず、所定の時間毎に現在の位置を取得し、位置情報管理サーバ２１へ送信するようにしてもよい。
【００９５】
7.保護者用携帯電話２５への連絡
前述の実施例１においては、保護者用携帯電話２５との通話によって、危険な状態である旨の連絡を行うとしたが、当該連絡を行えるものであれば例示のものに限定されない。例えば、位置情報管理サーバ２１と保護者用携帯電話２５とのデータ通信によって、例えば、電子メールを用いて、連絡を行うようにしてもよい。この場合、位置情報管理サーバ２１は、登録端末マスターＤＢの緊急連絡先電話番号に代えて、緊急連絡先メールアドレスを登録しておくようにすればよい。また、通話による連絡と、電子メールによる連絡とを併用するようにしてもよい。
【００９６】
8.位置情報管理サーバ２１が不要のシステム
また、前述の実施例１においては、位置情報管理サーバ２１は児童用携帯電話２３の現在の位置を用いて、両児童用携帯電話間の距離を算出するようにしたが、児童用携帯電話間の通信によって、両児童用携帯電話間の距離を算出するようにしてもよい。例えば、両児童用携帯電話間でＰ２Ｐ通信が可能な場合、児童用携帯電話２３が、当該Ｐ２Ｐ通信が可能か否かによって、両児童用携帯電話が互いに近傍にあるか否かを判断する。児童用携帯電話２３は、周りにＰ２Ｐ通信ができる他の児童用携帯電話２３が存在しないと判断すると、自ら所定の連絡先へ警告を発するようにすればよい。
【００９７】
9.フローチャートにおける処理の順番
前述の実施例１においては、図に示した各フローチャートに基づいて、各処理を実現するようにした。しかし、各処理を実現できるものであれば、各フローチャート内における処理の順番は例示のものに限定されない。
【図面の簡単な説明】
【００９８】
【図１】本発明に係る位置情報管理システムの概要を示す図である。
【図２】本発明に係る位置情報管理システムの機能ブロック図である。
【図３】本発明に係る位置情報管理システム１のネットワーク構成を示した図である。
【図４】図１に示す位置情報管理サーバ２１のハードウェア構成を示した図である。
【図５】図１に示す児童用携帯電話２３のハードウェア構成を示した図である。
【図６】図１に示す保護者用携帯電話２５のハードウェア構成を示した図である。
【図７】登録端末マスターＤＢのデータ構造を示した図である。
【図８】端末グループＤＢのデータ構造を示した図である。
【図９】アラート条件チェック用テーブルのデータ構造を示した図である。
【図１０】位置情報管理サーバ２１の動作を示したフローチャートである。
【図１１】位置情報管理サーバ２１の動作を示したフローチャートである。
【図１２】児童用携帯電話２３の動作を示したフローチャートである。
【図１３】従来技術を説明するための図である。
【符号の説明】
【００９９】
Ｍ１・・・・・位置情報管理システム
Ｍ３・・・・・位置情報管理装置
Ｍ５・・・・・携帯電話
ｍ３０１・・・・・位置要求情報生成手段
ｍ３０３・・・・・位置要求情報送信手段
ｍ３０５・・・・・位置情報受信手段
ｍ３０７・・・・・距離算出手段
ｍ３０９・・・・・判断手段
ｍ３１１・・・・・警告情報送信手段
ｍ５０１・・・・・位置要求情報受信手段
ｍ５０３・・・・・位置情報取得手段
ｍ５０５・・・・・位置情報送信手段
１・・・・・位置情報管理システム
２１・・・・・位置情報管理サーバ
２３・・・・・児童用携帯電話
２５・・・・・保護者用携帯電話
【図１】
2008077465.tif 000003
【図２】
2008077465.tif 000004
【図３】
2008077465.tif 000005
【図４】
2008077465.tif 000006
【図５】
2008077465.tif 000007
【図６】
2008077465.tif 000008
【図７】
2008077465.tif 000009
【図８】
2008077465.tif 000010
【図９】
2008077465.tif 000011
【図１０】
2008077465.tif 000012
【図１１】
2008077465.tif 000013
【図１２】
2008077465.tif 000014
【図１３】
2008077465.tif 000015